(57)【要約】【課題】安価なLCD表示パネルを用いた場合でも多彩な階調表示を実現する。【解決手段】表示周期を決定するフレームクロックと、前記フレームクロックの半周期である明階調クロックと、前記明階調クロックと同周期で、かつ明階調クロックのＨ期間に対し、Ｈ期間が半期間となる暗階調クロックを出力するタイミング制御回路と、前記タイミング制御回路から出力されたフレームクロックを基に、コモン信号を生成し、順次出力しかつ、階調機能を有効設定するレジスタを備え、前記レジスタにより階調機能が有効に設定された場合、前記コモン信号に加え、明階調クロックと暗階調クロックを基に、セグメント信号を生成し、出力する階調表示機能を有するマイクロコントローラ。【選択図】図１
2008176007.tif 000002
【特許請求の範囲】
【請求項１】
LCD表示パネルを駆動するLCD駆動用マイクロコントローラであって、
ROMやRAMから、データを表示データと階調データとして記憶する表示データ記憶装置と、
表示周期を決定するフレームクロックと、前記フレームクロックの半周期である明階調クロックと、前記明階調クロックと同周期で、かつ明階調クロックのＨ期間に対し、Ｈ期間が半期間となる暗階調クロックを出力するタイミング制御回路と、
前記タイミング制御回路から出力されたフレームクロックを基に、コモン信号を生成し、前記コモン信号を順次出力するコモン生成回路と、
階調機能を有効設定するレジスタを備え、前記レジスタにより階調機能が無効に設定された場合、前記コモン信号と前記表示データを基にセグメント信号を生成、出力し、または、前記レジスタにより階調機能が有効に設定された場合、前記コモン信号に加え、明階調クロックと暗階調クロックと表示データと階調データを基に、セグメント信号を生成、出力する機能を有するセグメント生成部と、
LCD表示パネルへLCD駆動信号を出力する複数の端子と、
を具備し、前記表示出力制御回路から出力された各コモン信号と各セグメント信号を、前記各端子へ入力するLCD駆動用マイクロコントローラ。
【請求項２】
請求項１記載のLCD駆動用マイクロコントローラにおいて、
明階調クロックのＨ期間を設定するレジスタと、前記レジスタの設定値に基づいてＨ期間を可変された明階調クロックを出力し、かつ前記明階調クロックと同周期で、明階調クロックのＨ期間に対し、Ｈ期間が半期間となる暗階調クロックを出力する機能を、タイミング制御回路内に新たに設けた、
請求項１記載のLCD駆動用マイクロコントローラ。
【請求項３】
請求項１記載のLCD駆動用マイクロコントローラにおいて、
表示出力制御回路にて生成されるセグメント信号に対して、反転出力を有効設定するレジスタと、前記レジスタの有効設定により前記セグメント信号を反転出力し、前記反転出力する機能を新たに有した、
請求項１記載のLCD駆動用マイクロコントローラ。
【請求項４】
請求項２記載のLCD駆動用マイクロコントローラにおいて、
明階調クロックのＨ期間を設定するレジスタの設定値に基づいてＨ期間が可変された明階調クロックと暗階調クロック、及びフレームクロックを基に生成されたセグメント信号に対して、前記セグメント信号の反転出力を部分的に有効設定するレジスタと、前記レジスタの有効設定により前記セグメント信号を部分的に反転出力する機能を新たに有した、請求項２記載のLCD駆動用マイクロコントローラ。
【請求項５】
請求項２記載のLCD駆動用マイクロコントローラにおいて、
明階調クロックのＨ期間を設定するレジスタの設定値に基づいてＨ期間が可変された明階調クロックと暗階調クロック、及びフレームクロックを基に生成されたセグメント信号に対して、前記セグメント信号の部分反転出力を有効設定するレジスタと、前記レジスタの有効設定により前記セグメント信号の一部を反転出力する機能を新たに有した、請求項２記載のLCD駆動用マイクロコントローラ。
【請求項６】
請求項２記載のLCD駆動用マイクロコントローラにおいて、
明階調クロックのＨ期間を設定するレジスタの設定値に基づいてＨ期間が可変された明階調クロックと暗階調クロック、及びフレームクロックを基に生成されたセグメント信号に対して、前記セグメント信号の反転出力を有効設定するレジスタと、前記レジスタの有効設定により前記明階調クロックと暗階調クロックにより生成されたセグメント信号はOFF状態になり、前記フレームクロックを基に生成されたセグメント信号のみが反転出力する機能を新たに有した、請求項２記載のLCD駆動用マイクロコントローラ。
【請求項７】
LCD表示パネルと、
前記LCD表示パネルを制御する請求項１記載のマイクロコントローラと、
前記マイクロコントローラを制御する外部入力装置と
を具備したシステムにおいて、
前記外部入力装置により入力された制御信号により、マイクロコントローラの状態を制御することで、前記LCD表示パネルの表示内容を制御できる機能を有したシステム。
【発明の詳細な説明】
【技術分野】
【０００１】
本発明は、LCD表示パネルを多彩に駆動するLCD駆動用マイクロコントローラに関するものである。
【背景技術】
【０００２】
携帯型小型玩具機器やリモコン機器等の安価なセット機器における表示デバイスは、主に安価な２値表示の小型LCD表示パネルが用いられている。しかし近年、これらのLCD表示パネルを用いる場合でも、多彩な表示が求められている。同様に、これを駆動するためのLCD駆動用マイクロコントローラにおいても多彩な表示機能を有する製品が求められている。多彩な表示を実現するためには、表示ＯＮ、表示ＯＦＦに加え、中間色を混在させた多階調表示を実現させる必要がある。
【０００３】
従来、LCD表示パネルの階調表示方法としては、パルス幅変調方式（PWM）、パルス高さ変調方式（PHM）、フレーム変調方式（FRC）があり、白黒表示については、フレーム変調方式が最も広く採用されている。そのため、LCD駆動用マイクロコントローラで多階調表示を行うには、ＯＮデータとＯＦＦデータを各々設定した表示用のページを複数枚用意し、交互に切り替えて表示させ、複数枚での平均値として、表示ＯＮと表示ＯＦＦの中間色を実現し、多階調表示を行っていた（例えば、特許文献１参照）。
【特許文献１】特開平８−１１５０６１号公報
【発明の開示】
【発明が解決しようとする課題】
【０００４】
前記従来の手法による多階調表示を行う場合、ＯＮデータとＯＦＦデータを各々設定した表示ページを複数枚用意する必要があり、かつ、階調に応じて交互に切り替える割合を複雑に制御する必要があるため、LCD駆動用マイクロコントローラにおけるソフトウエア処理が複雑になり、かつ、ROM容量増大によるチップコストアップ、システムコストアップにつながるという問題を有していた。
【０００５】
本発明は、少ないハードウエア構成でソフトウエア開発者、ソフトウエア資源の負担を掛けることなく、容易に多彩な階調表示機能を実現できるLCD駆動用マイクロコントローラを提供することを目的とする。
【課題を解決するための手段】
【０００６】
上記課題を解決するために、本願のLCD表示パネルを駆動するLCD駆動用マイクロコントローラは、
ROMやRAMから、データを表示データと階調データとして記憶する表示データ記憶装置と、
表示周期を決定するフレームクロックと、前記フレームクロックの半周期である明階調クロックと、前記明階調クロックと同周期で、かつ明階調クロックのＨ期間に対し、Ｈ期間が半期間となる暗階調クロックを出力するタイミング制御回路と、
前記タイミング制御回路から出力されたフレームクロックを基に、コモン信号を生成し、前記コモン信号を順次出力するコモン生成回路と、
階調機能を有効設定するレジスタを備え、前記レジスタにより階調機能が無効に設定された場合、前記コモン信号と前記表示データを基にセグメント信号を生成、出力し、または、前記レジスタにより階調機能が有効に設定された場合、前記コモン信号に加え、明階調クロックと暗階調クロックと表示データと階調データを基に、セグメント信号を生成、出力する機能を有するセグメント生成部と、
LCD表示パネルへLCD駆動信号を出力する複数の端子と、
を具備し、前記表示出力制御回路から出力された各コモン信号と各セグメント信号を、前記各端子へ入力する。
【発明の効果】
【０００７】
本発明は、レジスタによる調整可変の階調クロックと、反転制御レジスタと階調データにより、容易に多彩な階調表示機能の実現という効果を奏することができる。
【発明を実施するための最良の形態】
【０００８】
以下、本発明を実施するための最良の形態について図面を参照しながら説明する。
【０００９】
＜第１の実施の形態＞
図１は、本発明の実施の形態１に係るLCD駆動用マイクロコントローラである。
【００１０】
図１において、１はマイクロコントローラであり、２から４はLCD表示パネルを直接駆動する端子１から端子ｎ、ＣＰＵ５、データバス６、アドレスバス７、ＲＯＭ８、ＲＡＭ９、表示データバス１０、表示データ記憶装置１１、タイミング制御回路１２、コモン生成回路１３、セグメント生成回路１４、階調機能有効設定レジスタ１５、LCD周期設定レジスタ１６、LCD表示データ２４、コモン信号２５、１０６〜１１０、セグメント信号２６、１１１〜１１５、階調データ２７、ベースクロック１００、フレームクロック１０１、明階調クロック１０４、暗階調クロック１０５により構成される。
【００１１】
図２は本発明の実施の形態におけるLCD駆動用マイクロコントローラの動作の一例を示すタイミングチャートであり、１００はベースクロック、１０１はフレームクロックであり、フレームクロック１０１は表示周期を決定するクロックであり、LCD周期設定レジスタ１６によりベースクロック１００を分周することで形成されている。１０４は明階調クロックで、フレームクロック１０１の半分の周期を持つ。１０５は暗階調クロックで、明階調クロック１０４と同じ周期を持ち、かつ、明階調クロックのＨ期間の半分のＨ期間を出力するように設定される。
【００１２】
図３は本発明の実施の形態におけるLCD駆動用マイクロコントローラの動作の一例を示すタイミングチャートであり、１０６から１１０は、コモン信号で、それぞれCOM0からCOMnとなる。また１１１から１１５は、セグメント信号で、それぞれSEG0からSEGnとなる。
【００１３】
図４は本発明の実施の形態におけるLCD駆動用マイクロコントローラの動作の一例を示すタイミングチャートである。
【００１４】
これら図面を使用し、以下に詳細な動作について説明する。
【００１５】
マイクロコントローラ１は、ｎ本の端子２から４がLCD表示パネルと接続されている。通常マイクロコントローラ１は、ＲＯＭ８に格納されているプログラムをＣＰＵ５がアドレスバス７、データバス６を介して読み出すことで動作している。ここでLCD表示データはCPU５による命令動作で、一旦、表示データ記憶装置１１に格納され、次に表示データ記憶装置１１よりセグメント生成回路１４へ読み出される。また、タイミング制御回路１２はLCD表示周期を設定するためLCD周期設定レジスタ１６の設定値に従い、ベースクロック１００を適切に分周することで、フレームクロック１０１を形成する。ここで、フレームクロック１０１は、LCD表示周期となる。さらに、フレームクロック１０１の半周期である明階調クロック１０４を形成する。また、明階調クロック１０４と同周期で、明階調クロックのＨ期間に対し、半分のＨ期間とした暗階調クロック１０５を形成する。タイミング制御回路１２は、フレームクロック１０１を、コモン生成回路１３とセグメント生成回路１４へ出力する。また明階調クロック１０４、暗階調クロック１０５を、セグメント生成回路１４へ出力する。セグメント生成回路１４は、階調表示を行うか行わないかを設定する階調機能有効設定レジスタ１５により制御される。これについて、まずは前記の階調機能有効設定レジスタ１５は、階調表示を行わない値に設定され、階調表示を行わない設定の場合の動作を以下説明する。
【００１６】
コモン生成回路１３は、図３に示すLCD基準クロック１０１を元に、コモンタイミングを決定するためのCOM信号１０６から１１０を形成する。ここで、COM信号１０６はCOM0、COM信号１０７はCOM1、COM信号１０８はCOM2、COM信号１０９はCOM3、COM信号１１０はCOMn、というように、n本のCOM信号に対応し、図示されているように順次COM信号が形成されている。また、前記表示データ記憶装置１１に格納されたLCD表示データ２４は、コモン信号に対応するセグメントデータとなっており、読み出されたLCD表示データに従って、セグメント生成回路１４は、図３に示すセグメント信号、SEG0信号１１１、SEG1信号１１２、SEG2信号１１３、SEG3信号１１４、SEGn信号１１５を形成する。なお図３のセグメント信号１１１から１１５において、読み出されたLCD表示データ２４が“１”の場合は“Ｈ”出力、“０”の場合は“Ｌ”出力に対応している。これら、コモン生成回路１３内で形成され出力されるコモン信号２５と、セグメント生成回路１４内で形成され出力されるセグメント信号２６は、表示データバス１０を介して、それぞれの端子２から４に入力される。これにより、端子２から４よりLCD駆動信号がマイクロコントローラ１の外部へ出力でき、外部に接続されたLCD表示パネルを駆動させることができる。
【００１７】
次に、階調表示を行う設定の場合の動作を以下に説明する。この場合、前記の階調機能有効設定レジスタ１５には、階調表示を行う値に設定されている。
【００１８】
ここで、階調表示を行う設定の場合の動作は前記階調表示を行わない設定の場合の動作に対し、セグメント信号の形成方法が異なり、前記COM0信号１０６、COM1信号１０７、COM2信号１０８、COM3信号１０９、COMn信号１１０のコモン信号の生成については、前記階調表示を行わない設定の場合と同じである。タイミング制御回路１２は、図４に示す明階調クロック１０４と暗階調クロック１０５を形成する。ここで、前記表示データ記憶装置１１に格納されたLCD表示データ２４は、前記コモン信号に対応するセグメントデータとなり、また、階調データ２７は、セグメント信号に対応する階調データとなり、読み出された表示データを階調データに従って、セグメント生成回路１４は図４に示すセグメント信号、SEG0信号１１１、SEG1信号１１２、SEG2信号１１３、SEG3信号１１４、SEGn信号１１５を形成する。なお図４のセグメント信号１１１から１１５において、読み出されたLCD表示データ２４が“１”かつ、階調データ２７が“１”の場合は、前記フレームクロック１０１の１フレーム内において、明階調クロック１０４のＨ期間と同じＨ期間の信号が形成される。また、読み出されたLCD表示データ２４が“０”かつ、階調データ２７が“１”の場合は、前記フレームクロック１０１の１フレーム内において、暗階調クロック１０５のＨ期間と同じＨ期間の信号が形成される。これらコモン生成回路１３内で形成され出力されるコモン信号２５と、セグメント生成回路１４内で形成され出力されるセグメント信号２６は、表示データバス１０を介して、それぞれの端子２から４に入力される。これにより、端子２から４よりLCD駆動信号がマイクロコントローラ１の外部へ出力でき、外部に接続されたLCD表示パネルを表示させることができる。
【００１９】
＜第２の実施の形態＞
以下、本発明の第２の実施の形態におけるLCD駆動用マイクロコントローラについて図面を参照しつつ説明する。但し、前述した実施の形態１において説明した部分については、説明を省略する。
【００２０】
図５に参照されるように本実施の形態のLCD駆動用マイクロコントローラは、第１の実施の形態のLCD駆動用マイクロコントローラとは、タイミング制御回路１２からセグメント生成回路１４へ入力される明階調クロック、暗階調クロック形成方法が異なるものであり、第１の実施の形態のLCD駆動用マイクロコントローラに対して、明階調クロックのＨ期間を設定する階調周期設定レジスタ１７をタイミング制御回路１２に追加した構成になっている。
【００２１】
本実施の形態において、タイミング制御回路１２は、LCD周期設定レジスタ１６の設定値に従い、ベースクロック１００を適切に分周することで、フレームクロック１０１を形成する。ここで、フレームクロック１０１は、LCD表示周期となる。さらに、明階調クロックのＨ期間を設定する階調周期設定レジスタ１７の設定値に従い、前記レジスタの設定値に基づいてＨ期間を可変された明階調クロック１０４を形成する。また、明階調クロック１０４と同周期で、明階調クロックのＨ期間に対し、半分のＨ期間とした暗階調クロック１０５を形成する。
【００２２】
ここで、階調表示を行う設定の場合の動作において、図６のセグメント信号１１１から１１５において、読み出されたLCD表示データ２４が“１”かつ、階調データ２７が“１”の場合は、前記フレームクロック１０１の１フレーム内において、明階調クロック１０４のＨ期間と同じＨ期間の信号が形成される。また、読み出されたLCD表示データ２４が“０”かつ、階調データ２７が“１”の場合は、前記フレームクロック１０１の１フレーム内において、暗階調クロック１０５のＨ期間と同じＨ期間の信号が形成される。
【００２３】
これらコモン生成回路１３内で形成され出力されるコモン信号２５と、セグメント生成回路１４内で形成され出力されるセグメント信号２６は、表示データバス１０を介して、それぞれの端子２から４に入力される。これにより、端子２から４よりLCD駆動信号がマイクロコントローラ１の外部へ出力でき、外部に接続されたLCD表示パネルを表示させることができる。
【００２４】
このように、明階調クロックのＨ期間を設定するレジスタを任意の値に設定することで、前記明階調クロックのＨ期間を設定するレジスタの値に従って明階調クロック１０４を形成し、LCD表示データ２４と階調データ２７に対応したセグメント信号を形成することができ、これにより可変的に階調表示をLCD表示パネルに表示させることができる。
【００２５】
＜第３の実施の形態＞
以下、本発明の第３の実施の形態におけるLCD駆動用マイクロコントローラについて図面を参照しつつ説明する。但し、前述した実施の形態１において説明した部分については、説明を省略する。
【００２６】
図７に参照されるように、本実施の形態のLCD駆動用マイクロコントローラは、第１の実施の形態のLCD駆動用マイクロコントローラとは、セグメント生成回路から出力されるセグメント信号の形成方法が異なるものであり、第１の実施の形態のLCD駆動用マイクロコントローラに対して、反転制御を行う反転制御レジスタ１８を追加した構成になっている。
【００２７】
本実施の形態において、セグメント生成回路１４で生成されるセグメント信号２６は、反転制御レジスタ１８の値により反転を行う。反転制御が無効でありかつ階調表示を行う設定が無効の場合の動作の際には、図３のコモン信号１０６〜１１０のフレームに対応するセグメント信号１１１〜１１５が出力する。反転制御が無効でありかつ階調表示を行う設定が有効の場合の動作の際には、図６のコモン信号１０６〜１１０のフレームに対応するセグメント信号１１１〜１１５の出力が反転する。また、反転制御が有効でありかつ階調表示を行う設定が無効の場合の動作の際には、図８のコモン信号１０６〜１１０のフレームに対応するセグメント信号１１１〜１１５が出力する。また、反転制御が有効でありかつ階調表示を行う設定の場合の動作の際には、図９のコモン信号１０６〜１１０のフレームに対応するセグメント信号１１１〜１１５の出力が反転するため、明階調クロック１０４、暗階調クロック１０５のＬ区間でＨ出力、Ｈ区間でＬ出力を行う。
【００２８】
これらコモン生成回路１３内で形成され出力されるコモン信号２５と、セグメント生成回路１４内で形成され出力されるセグメント信号２６は、表示データバス１０を介して、それぞれの端子２から４に入力される。これにより、端子２から４よりLCD駆動信号がマイクロコントローラ１の外部へ出力でき、外部に接続されたLCD表示パネルを表示させることができる。
【００２９】
このように、反転制御設定するレジスタにより、前記セグメント生成回路１４にて反転したセグメント信号を形成することができ、これにより容易に階調表示をLCD表示パネルに表示させることができる。
【００３０】
＜第４の実施の形態＞
以下、本発明の第４の実施の形態におけるLCD駆動用マイクロコントローラについて図面を参照しつつ説明する。但し、前述した実施の形態２において説明した部分については、説明を省略する。
【００３１】
図１０に参照されるように、本実施の形態のLCD駆動用マイクロコントローラは、第２の実施の形態のLCD駆動用マイクロコントローラとは、セグメント生成回路から出力されるセグメント信号の形成方法が異なるものであり、第２の実施の形態のLCD駆動用マイクロコントローラに対して、反転制御を行う反転制御レジスタ１８を追加した構成になっている。
【００３２】
本実施の形態において、セグメント生成回路で生成されるセグメント信号は、反転制御レジスタの値により反転を行う。反転制御が無効でありかつ階調表示を行う設定の場合の動作の際には、図６のコモン信号１０６〜１１０のフレームに対応するセグメント信号１１１〜１１５の出力が反転する。また、反転制御が有効でありかつ階調表示を行う設定の場合の動作の際には、図９のコモン信号１０６〜１１０のフレームに対応するセグメント信号１１１〜１１５の出力が反転するため、明階調クロック、暗階調クロックのＬ区間でＨ出力、Ｈ区間でＬ出力を行う。
【００３３】
これらコモン生成回路１３内で形成され出力されるコモン信号２５と、セグメント生成回路１４内で形成され出力されるセグメント信号２６は、表示データバス１０を介して、それぞれの端子２から４に入力される。これにより、端子２から４よりLCD駆動信号がマイクロコントローラ１の外部へ出力でき、外部に接続されたLCD表示パネルを表示させることができる。
【００３４】
このように、反転制御設定するレジスタにより、前記セグメント生成回路１４にて反転したセグメント信号を形成することができ、これにより容易に階調表示をLCD表示パネルに表示させることができる。
【００３５】
＜第５の実施の形態＞
以下、本発明の第５の実施の形態におけるLCD駆動用マイクロコントローラについて図面を参照しつつ説明する。但し、前述した実施の形態２において説明した部分については、説明を省略する。
【００３６】
図１１に参照されるように、本実施の形態のLCD駆動用マイクロコントローラは、第２の実施の形態のLCD駆動用マイクロコントローラとは、セグメント生成回路から出力されるセグメント信号の形成方法が異なるものであり、第２の実施の形態のLCD駆動用マイクロコントローラに対して、部分的な反転制御を行う部分反転制御レジスタ１９を追加した構成になっている。
【００３７】
本実施の形態において、セグメント生成回路で生成されるセグメント信号は、部分反転制御レジスタの値により反転を行う。反転制御が無効でありかつ階調表示を行う設定の場合の動作の際には、図６のコモン信号１０６〜１１０のフレーム、部分反転制御レジスタの値に対応するセグメント信号１１３の出力になる。また、反転制御が有効でありかつ階調表示を行う設定の場合の動作の際には、図１２のコモン信号１０６〜１１０のフレーム、部分反転制御レジスタの値に対応するセグメント信号１１２が出力されるため、明階調クロック、暗階調クロックのＬ区間でＨ出力、Ｈ区間でＬ出力を行う。
【００３８】
これらコモン生成回路１３内で形成され出力されるコモン信号２５と、セグメント生成回路１４内で形成され出力されるセグメント信号２６は、表示データバス１０を介して、それぞれの端子２から４に入力される。これにより、端子２から４よりLCD駆動信号がマイクロコントローラ１の外部へ出力でき、外部に接続されたLCD表示パネルを表示させることができる。
【００３９】
このように、反転制御設定するレジスタを部分的に設定することで、前記セグメント生成回路１４にて部分的に反転したセグメント信号を形成することができ、これにより容易に階調表示を６値持ち、LCD表示パネルに表示させることができる。
【００４０】
＜第６の実施の形態＞
以下、本発明の第６の実施の形態におけるLCD駆動用マイクロコントローラについて図面を参照しつつ説明する。但し、前述した実施の形態２において説明した部分については、説明を省略する。
【００４１】
図１０に参照されるように、本実施の形態のLCD駆動用マイクロコントローラは、第２の実施の形態のLCD駆動用マイクロコントローラとは、セグメント生成回路から出力されるセグメント信号の形成方法が異なるものであり、第２の実施の形態のLCD駆動用マイクロコントローラに対して、反転制御を行う反転制御レジスタ１８を追加した構成になっている。
【００４２】
本実施の形態において、セグメント生成回路で生成されるセグメント信号は、反転制御レジスタの値により反転を行う。反転制御が無効でありかつ階調表示を行う設定の場合の動作の際には、図６のコモン信号１０６〜１１０のフレームに対応するセグメント信号１１１〜１１５の出力が反転する。また、反転制御が有効でありかつ階調表示を行う設定の場合の動作の際には、図１３のコモン信号１０６〜１１０のフレームに対応するセグメント信号１１１〜１１５の出力が反転するが、明階調クロック、暗階調クロックのＬ区間でＬ出力、Ｈ区間でＬ出力を行う。
【００４３】
これらコモン生成回路１３内で形成され出力されるコモン信号２５と、セグメント生成回路１４内で形成され出力されるセグメント信号２６は、表示データバス１０を介して、それぞれの端子２から４に入力される。これにより、端子２から４よりLCD駆動信号がマイクロコントローラ１の外部へ出力でき、外部に接続されたLCD表示パネルを表示させることができる。
【００４４】
このように、反転制御設定するレジスタにより、前記セグメント生成回路１４にて反転したセグメント信号を形成することができ、これにより容易に反転制御時に、階調波形を無効にする階調表示をLCD表示パネルに表示させることができる。
【００４５】
＜第７の実施の形態＞
以下、本発明の第７の実施の形態におけるシステムについて図面を参照しつつ説明する。
【００４６】
図１４に本実施の形態のLCD表示パネル５１の表示内容を制御できる機能を有したシステム５３の概略構成の一例を示す。
【００４７】
図１４において、システム５３は、前記LCD表示パネル５１は第１、または第２、または第３、または第４、または第５実施の形態のLCD駆動用マイクロコントローラ１に接続している。LCD駆動用マイクロコントローラ１は外部入力装置５２と接続し、外部入力装置５２を動作させることにより、前記LCD駆動用マイクロコントローラ１が制御されLCD表示パネル５１の表示内容を制御することができる。なお、外部入力装置５２は、キースイッチなどの物理的信号、または電気的信号、または電磁波、赤外線、無線、または通信による制御信号などで構成されるものであってもよい。
【産業上の利用可能性】
【００４８】
本発明はLCD表示パネルを駆動するLCD駆動用システムに利用できる。
【図面の簡単な説明】
【００４９】
【図１】本発明の実施の形態１におけるLCD駆動用マイクロコントローラを示すブロック図
【図２】同実施の形態１における動作の一例を示すタイミングチャート
【図３】同実施の形態１、３における動作の一例を示すタイミングチャート
【図４】同実施の形態１における動作の一例を示すタイミングチャート
【図５】本発明の実施の形態２におけるLCD駆動用マイクロコントローラを示すブロック図
【図６】同実施の形態２、３、４、５、６における動作の一例を示すタイミングチャート
【図７】本発明の実施の形態３におけるLCD駆動用マイクロコントローラを示すブロック図
【図８】同実施の形態３における動作の一例を示すタイミングチャート
【図９】同実施の形態３、４における動作の一例を示すタイミングチャート
【図１０】本発明の実施の形態４、６におけるLCD駆動用マイクロコントローラを示すブロック図
【図１１】本発明の実施の形態５におけるLCD駆動用マイクロコントローラを示すブロック図
【図１２】同実施の形態５における動作の一例を示すタイミングチャート
【図１３】同実施の形態６における動作の一例を示すタイミングチャート
【図１４】本発明の実施の形態７におけるシステムを示すブロック図
【符号の説明】
【００５０】
１  マイクロコントローラ
２、３、４  表示制御端子
５  ＣＰＵ
６  データバス
７  アドレスバス
８  ＲＯＭ
９  ＲＡＭ
１０  表示データバス
１１  表示データ記憶装置
１２  タイミング制御回路
１３  コモン生成回路
１４  セグメント生成回路
１５  階調機能有効設定レジスタ
１６  LCD周期設定レジスタ
１７  階調周期設定レジスタ
１８  反転制御レジスタ
１９  部分反転制御レジスタ
２４  LCD表示データ
２５  コモン信号
２６  セグメント信号
２７  階調データ
１００  ベースクロック
１０１  フレームクロック
１０４  明階調クロック
１０５  暗階調クロック
１０６  ＣＯＭ０
１０７  ＣＯＭ１
１０８  ＣＯＭ２
１０９  ＣＯＭ３
１１０  ＣＯＭｎ
１１１  ＳＥＧ０
１１２  ＳＥＧ１
１１３  ＳＥＧ２
１１４  ＳＥＧ３
１１５  ＳＥＧｎ
【図１】
2008176007.tif 000003
【図２】
2008176007.tif 000004
【図３】
2008176007.tif 000005
【図４】
2008176007.tif 000006
【図５】
2008176007.tif 000007
【図６】
2008176007.tif 000008
【図７】
2008176007.tif 000009
【図８】
2008176007.tif 000010
【図９】
2008176007.tif 000011
【図１０】
2008176007.tif 000012
【図１１】
2008176007.tif 000013
【図１２】
2008176007.tif 000014
【図１３】
2008176007.tif 000015
【図１４】
2008176007.tif 000016